(57)【要約】本発明は、ケーブル（5）を取り囲んで取り付けられており、複数の被覆を切断するための切断手段（7）を備える切断ユニット（1）と、上記ケーブル（5）を取り囲んで取り付けられており、上記切断手段（7）の調節手段（6、29−31）を備える中間ユニット（2）と、上記ケーブル（5）の固定手段（8）を備える固定ユニット（3）とを備え、上記切断ユニット（1）は、上記切断手段（7）が上記ケーブル（5）のまわりに回転することによって複数の被覆が同時に切断されるように取り付けられている、同軸ケーブルのストリッパに関する。これら3つのユニット（1−3）は、上記ケーブル（5）によって規定される1本の共通軸に沿って隣接して並んでいる。
2004523998.tif 000002
【特許請求の範囲】
【請求項１】
切断ユニット（1）と、中間ユニット（2）と固定ユニット（3）とを具備する同軸ケーブルのストリッパであって：
前記切断ユニット（1）が、複数の被覆を切断するための切断手段（7）を有していて、ケーブル（5）を取り囲んで取り付けられており、前記切断手段（7）が上記ケーブル（5）のまわりに回転することによって複数の被覆が同時に切断されるように取り付けられていて；前記中間ユニット（2）が、上記ケーブル（5）を取り囲んで取り付けられており、かつ上記切断手段（7）の調節手段（6、24、29−32）を有しており；前記固定ユニット（3）が、上記ケーブル（5）の固定手段（8）を有していて；これら3つのユニット（1−3）は、お互いに隣接しており、かつ前記ケーブル（5）によって規定される1本の共通軸に沿って整列している、同軸ケーブルのストリッパにおいて；
切断ユニット（1）が、中間ユニット（2）と接触する基部（10）の側において開放された円筒形ケース（9）から構成されていて、この円筒状ケース（9）の内部には、少なくとも、
a）上記ケーブル（5）を通すための穴（14）を中心に備え、上記中間ユニット（2）とは反対側の面（15）には、上記ケーブル（5）の被覆を切断するための軸回転式の刃（7）を備え、他方の面（16）には、隣接する円板（11−13、19）との一体化手段（18）と、上記刃（7）を軸回転させる手段（17）とをそれぞれ備える、2枚の切断用回転板（11−13）と、
b）上記刃（7）のガイド手段（20、21）を備えていて、前記一体化手段（18）により、隣接する切断用回転板（11）と一体化したガイド用回転板（19）と、
が収容されており、
上記ケースの底部（22）にはさらに、隣接する切断用回転板（13）の駆動手段（18）が備えられており；
中間ユニット（2）が固定ユニット（3）と一体化していること、を特徴とする同軸ケーブルのストリッパ。
【請求項２】
切断用回転板（11−13）の面のうちで軸回転式の刃（7）を備える面（15）に、隣接する円板の面（16）上にある一体化手段（18）の位置を調節する手段（25）も備えられており、刃（7）による切断の深さが調節可能になっている、請求項1に記載のストリッパ。
【請求項３】
ガイド用回転板（19）が、ケーブル（5）を取り囲む円筒部（20）を備え、前記円筒部（20）が、ケーブル（5）によって規定される方向と垂直に配置されていて上記刃（7）が軸回転するときにその刃をガイドする一連のスリット（21）を備える、請求項1または2に記載のストリッパ。
【請求項４】
前記一体化手段（18）と、刃を軸回転させる前記切断手段（7）が、上記円板（11−13）の面（15、16）に垂直に配置されたピボットであり、一体化用のピボット（18）は、対向する円板の面（15）上に設けられた円弧状の第1のスリット（26）に接触して挿入されていて、刃（7）に作用するピボット（17）は、刃（7）の一部に設けられた円弧状の第2のスリット（27）に接触して挿入されている、請求項1−3のいずれか1項に記載のストリッパ。
【請求項５】
ガイド用回転板（19）が切断手段（7）も備えることを特徴とする、請求項1−4のいずれか1項に記載のストリッパ。
【請求項６】
中間ユニット（2）の調節手段（6、29−31）が2枚の円板（30、31）から構成されていて、第1の円板（31）は、中間ユニット（2）と固定ユニット（3）で形成される集合体と一体化した状態であり、第2の円板（30）は、第1の円板（31）に対して摩擦力を及ぼしながらケーブル（5）のまわりを回転する、請求項1−5のいずれか1項に記載のストリッパ。
【請求項７】
切断ユニット（1）を一方向に回転させることによって刃（7）を被覆に近づけて切断し、反対方向に回転させることによって刃（7）を被覆から遠ざける、請求項1−6のいずれか1項に記載のストリッパに係わる使用方法。
【発明の詳細な説明】
【技術分野】
【０００１】
本発明は、同軸ケーブルのストリッパに関する。同軸ケーブルとは、被覆によって互いに分離された複数の同心導体を備える電線を意味する。したがって、この定義によれば、例えば3軸ケーブルは、同軸ケーブルの一部をなすと考えるべきであり、この事実から、本発明によるストリッパを使用できるケーブルの一部をなすと考えるべきである。
【０００２】
現状では、同軸ケーブルのストリッパにはさまざまなタイプがある。例えば、欧州特許出願公開第397,319号、独国特許出願公開第11,365号、米国特許第4,987,801号、米国特許第4,059,893号、欧州特許出願公開第140,397号、欧州特許出願公開第81,865号、欧州特許出願公開第432,957号に記載されているものが挙げられる。
【０００３】
しかし従来のストリッパには不都合な点がいくつかある。例えば切断の精度が十分でないことがしばしばある。また、装置が複雑であるために壊れやすい。この壊れやすさの原因は、切断手段が、その周囲に配置されている精度が低くならざるをえないバネによって作動すること、または調節されていることにある。さらに、ほとんどの装置は比較的大きいため、持ち運びが容易ではない。例えば利用者がポケットや袋に入れることができない。
【０００４】
本発明は、上記の問題点を解決するという利点を特に有する。本発明は、
ケーブルを取り囲んで取り付けられており、複数の被覆を切断するための切断手段を備える切断ユニットと、
上記ケーブルを取り囲んで取り付けられており、上記切断手段の調節手段を備える中間ユニットと、
上記ケーブルの固定手段を備える固定ユニットとを備え、
これら3つのユニットは、上記ケーブルによって規定される1本の共通軸に沿って隣接して並んでおり、上記切断ユニットは、上記切断手段が上記ケーブルのまわりに回転することによって複数の被覆が同時に切断されるように取り付けられている、同軸ケーブルのストリッパに関する。
【０００５】
このストリッパの特徴は、
上記切断ユニットが、上記中間ユニットと接触する基部の側が開放された円筒形ケースを備え、この円筒状ケースの内部には、少なくとも、
a）上記ケーブルを通すための穴を中心に備え、上記中間ユニットとは反対側の面には、上記ケーブルの被覆を切断するための軸回転式の刃を備え、他方の面には、隣接する円板との一体化手段と、上記刃を軸回転させる手段とを備える、2枚の切断用回転板と、
b）上記刃のガイド手段を備えていて、一体化手段により隣接する上記切断用回転板と一体化したガイド用回転板と
が収容されており、
上記ケースの底部にはさらに、隣接する切断用回転板の駆動手段が備えられており、
上記中間ユニットが上記固定ユニットと一体化していることである。
【０００６】
切断手段の位置にバネがないため、装置がある程度丈夫になるとともに、切断の精度が向上する。
【０００７】
さらに、本発明による装置はサイズを小さくすることができる。例えば長さを10−20cm、直径を5−10cmにすることができる。
【０００８】
一実施態様によれば、切断用円板は、切断の深さを調節できる手段を備えている。
【０００９】
本発明の別の実施態様では、ガイド用円板は、ケーブルを取り囲む円筒を備えるとともに、刃が軸回転するときにその刃をガイドする一連のスリットを有する。
【００１０】
別の実施態様では、ガイド用円板それ自体が切断手段を備えている。
【００１１】
中間ユニットの調節手段が2枚の円板を備えていて、第1の円板は、中間ユニットと上記固定ユニットで形成される集合体と一体化した状態であり、第2の円板は、第1の円板に対して摩擦力を及ぼしながらケーブルのまわりを回転するように取り付けられていることが好ましい。
【００１２】
上に示した本発明のさまざまな実施態様は、同一の装置において合わせて利用することもできる。
【００１３】
本発明によるストリッパは、もちろん3枚以上の切断用円板を備えていてもよい。
【００１４】
好ましい一実施態様によれば、切断用円板を3枚使用し、ガイド用円板と切断手段も取り付ける。この構成は、切断する被覆が4つある3軸ケーブルの被覆をはがすためのものである。
【００１５】
本発明による実施態様の詳細な一例を、添付の図面を参照して以下に説明する。
【発明を実施するための最良の形態】
【００１６】
図1から図6に示したストリッパは、切断ユニット1と、中間ユニット2と、固定ユニット3とで構成されている。このストリッパは、3軸ケーブルの被覆をはがすためのものである。ストリッパの内部（図2と図6を参照のこと）は、同軸ケーブル5を移動可能な状態で収容するための長手方向の通路を備えている。切断ユニット1は、円筒形のケース9を備えている。このケースの外面には、利用者が切断ユニット1を掴んだり回転させたりするのを容易にする長手方向の溝が設けられている。ケース9で中間ユニット2の側に位置する基部10は開放されている。ケースの内部には、ネジ34によってケース9の底部22に固定された円板23と、3枚の切断用円板11−13と、ガイド用円板19が収容されている。
【００１７】
3枚の切断用円板11−13は、厚さが異なっていてもよい点を別にすると、同じ構造になっている。ここに図示した実施例では、それぞれの円板は厚さが異なっている。後でわかるように、これら円板11−13の厚さを選択することにより、2つの切断領域間の距離が決まる。特に図3と図4を参照すると、円板11−13の面のうちでケース9の底部22側の面15に、長手方向のスリット37を有する軸回転式の刃7が設けられていることがわかる。ピボット28は、刃7が、円板11−13の穴14を貫通するケーブル5の被覆を切断できるような位置にある。
【００１８】
円板11−13の同じ面15には、円弧状の2つのスリット26、27がさらに設けられている。第1のスリット26は、円板11−13の外周部近くに配置されている。第2のスリット27は、刃7のピボット28と円板中心部の穴14に挟まれた位置に存在している。円板は、円弧状の2つのくり抜き部38、39も備えている。くり抜き部が存在していることで、ストリッパを形成する構造体を軽くすることができる。
【００１９】
図5からわかるように、それぞれの円板11−13の第2の面16には、その面16に垂直に配置された2つのピボット17、18が設けられている。第1のピボット18は、円板11−13の外周部近くに配置されていて、隣接する円板の第1のスリット26の内部を移動できるようになっている。第2のピボット17は、中心部の穴14の近くに配置されていて、隣接する円板の刃7の長手方向のスリット37を貫通し、この同じ円板の第2のスリット27の内部を移動できるようになっている。ピボット17、18がそれぞれのスリット26、27の中で移動できる最大範囲は、端部が第1のスリット26に嵌まるネジ25を備えるシステムによって調節することができる。
【００２０】
ケース9の底部22に固定された円板23は、中間ユニット2側の面に、技術的特徴と機能的特徴が他の切断用円板のピボットと同じピボット17、18も備えている（図5を参照のこと）。
【００２１】
ガイド用円板19は、中心部の穴に近い領域を除いて、切断用円板11−13の第1の面15と似た構成になっている。ガイド用円板19の中央部には、円筒形延長部20が設けられている。この円筒形延長部20の外径は、他の円板11−13、23の穴を貫通できるようなサイズである。円筒部20の端部は、ケース9の底部の方向を向いており、ケース9の外部まで到達できるようにケース9からわずかに突起している。円筒部20は、固定円板23の位置に、固定円板23の内部に収容されているネジ35を滑動可能な状態で受け入れるための円形の溝36を備えている。円形の溝36と滑動可能なネジ35が存在していることで、円板11−13、19の全体を保持し、これら円板が、固定円板23およびこの固定円板23が固定されているケース9と移動可能な状態で接触することができる。円筒部20は、刃7をガイドするための一連のスリット21をさらに備えている（図2を参照のこと）。
【００２２】
中間ユニット2は、ガイド用円板19の円筒部20と一体化した円筒形スリーブ29と、ネジ32によってスリーブ29と一体化した回転円板30と、バネ6によって回転円板30に摩擦力を及ぼす固定円板31とを備えている。バネ6は、2枚の円板30、31に垂直に配置されたネジ24を取り囲んでいる。
【００２３】
固定ユニット3は、ネジ33によって中間ユニット2と一体化されている。
【００２４】
固定ユニット3は、ケーブル5がストリッパにセットされたときにそのケーブル5が回転したり移動したりしないようにするための把持システム8を備えている。ケーブル5の固定は、固定ユニット3の外側エンベロープを中間ユニット2の方向にネジで締めることによって実現される。
【００２５】
前述のストリッパは、以下のように機能する。
【００２６】
ケーブル5を導入する前に切断用円板11−13の第1のスリット26の調節用ネジ25の深さを調節することにより、それぞれの刃7による切断の深さを決める。中間ユニットの回転円板30と固定円板31の間の摩擦力は、バネ6の内部に位置するネジ24の作用によって調節される。
【００２７】
さまざまな部品を以下のように組み立てる。利用者は、片手で切断ユニット1のケース9を時計まわり方向に回転させる。このとき他方の手は、固定ユニット3を掴んでいることが好ましい。この動作により、刃7を貫通するピボット17が同じ方向に移動する。すると刃が切断用円板11−13、19の中心部の穴14から離れる。したがってケーブルをストリッパの中に入れることができる。ケーブルは、固定ユニット3の側から入れることが好ましい。次に、ケーブル5を固定ユニット3内で固定する。この状態において、ストリッパは被覆を切断する準備が整う。利用者は、切断ユニット1のケース9を時計まわり方向に回転させる。すると刃が互いに近づき、それぞれの被覆にあらかじめ決めた深さまで侵入する。
【００２８】
刃7がケーブルのまわりを回転する速度と切断の質は、バネ6によって中間ユニット2の回転円板30と固定円板31の間の摩擦力を変化させるネジ24を調節することによって決まることがわかるであろう。2枚の円板30と31の間の摩擦力が小さくなるほど、刃の回転速度は大きくなり、切断の質が低下する。
【００２９】
被覆を切断するのに理論上はケース9を1回回転させるだけでよいが、利用者は、切断が完全になされるようにするのにケース9を何回か回転させる必要がある。
【００３０】
利用者は、回転操作が終わると、まず最初に固定ユニット3に固定されているケーブル5を緩め、ケーブルを引っ張る。ケーブルは、ストリッパの固定ユニット3側から引っ張るのが好ましい。するとケーブル5はストリッパから取り出され、切断された被覆がストリッパの中にしばらく残る。そこで今度はストリッパを揺さぶって切断された被覆を取り出し、次いでケース9を時計まわり方向に回転させ、刃を切断用円板11−13とガイド用円板19の中心部の穴14から遠ざける。
【００３１】
本発明が上記の実施例に限定されないことは明らかである。もちろん切断用円板の数が4枚に限られることもない。
【００３２】
図示はしていないが、切断領域の間の距離を決定するにあたって、切断用円板相互の間に円形リングを設けることもできる。このリングの厚さおよび／または数を変えることにより、切断領域間の距離を調節することができる。
【００３３】
本発明において使用する刃は、標準的なものが可能であることを最後に指摘しておく。このようにすると、本発明の目的が比較的安価に達成できる。
【図面の簡単な説明】
【００３４】
【図１】図１は、本発明によるストリッパを示す。
【図２】図２は、主として分解した切断ユニットを示す。
【図３】図３は、第1の状態にした切断ディスクの正面図である。
【図４】図４は、図3と同じディスクを別の状態にしたものを示す。
【図５】図５は、図3と図4のディスクを背面から見た概略図である。
【図６】図６は、図1のストリッパの縦断面図である。
【国際公開パンフレット】
2004523998.tif 000003
2004523998.tif 000004
2004523998.tif 000005
2004523998.tif 000006
2004523998.tif 000007
2004523998.tif 000008
2004523998.tif 000009
2004523998.tif 000010
2004523998.tif 000011
2004523998.tif 000012
2004523998.tif 000013
2004523998.tif 000014
2004523998.tif 000015
2004523998.tif 000016
2004523998.tif 000017
2004523998.tif 000018
2004523998.tif 000019
2004523998.tif 000020
【国際調査報告】
2004523998.tif 000021
2004523998.tif 000022
2004523998.tif 000023
2004523998.tif 000024